(57)【特許請求の範囲】
【請求項１】
フレキシブルイーサネットに基づいてサービスフローを送信するための方法であって、
バンドリンググループを使用することによって前記フレキシブルイーサネット内の少なくとも１つのサービスフローが送信され、前記バンドリンググループに対応する帯域幅リソースは、Ｍ個のタイムスロットへと分割され、前記少なくとも１つのサービスフローのサービスデータは、前記Ｍ個のタイムスロットのうちのＮ個のタイムスロット内にカプセル化され、前記Ｎ個のタイムスロット内のそれぞれのタイムスロットは、前記バンドリンググループ内の１つのＰＨＹにマップされ、それぞれのタイムスロット内にカプセル化されたサービスデータは、前記タイムスロットがマップされているＰＨＹを使用することによって送信され、ＭおよびＮの両方は、１以上の整数であり、Ｍ≧Ｎであり、
前記方法は、
前記バンドリンググループ内の第１のＰＨＹが障害をきたした場合に、事前に構成された第１のタイムスロット構成テーブルに基づいて、前記第１のＰＨＹにマップされている前記Ｎ個のタイムスロット内のターゲットタイムスロットを決定するステップであって、前記第１のタイムスロット構成テーブルは、前記Ｍ個のタイムスロットと前記バンドリンググループ内のＰＨＹとの間におけるマッピング関係を示すために使用される、ステップと、
前記第１のタイムスロット構成テーブルに基づいてアイドルタイムスロットを探して前記Ｍ個のタイムスロットを探索するステップと、
前記Ｍ個のタイムスロット内のアイドルタイムスロットの量がターゲットタイムスロットの量以上である場合に、すべての前記Ｎ個のタイムスロットが前記バンドリンググループ内の前記第１のＰＨＹ以外のその他のＰＨＹにマップされるように前記第１のタイムスロット構成テーブルを調整して、第２のタイムスロット構成テーブルを入手するステップと、
前記バンドリンググループを使用することによって前記第２のタイムスロット構成テーブルに基づいて前記少なくとも１つのサービスフローを送信するステップとを含み、
前記少なくとも１つのサービスフローは、複数のサービスフローを含み、
前記方法は、
前記Ｍ個のタイムスロット内のアイドルタイムスロットの前記量がターゲットタイムスロットの前記量未満である場合に、前記バンドリンググループの現在の送信帯域幅を計算するステップであって、前記バンドリンググループの前記現在の送信帯域幅は、前記バンドリンググループ内の前記第１のＰＨＹ以外の前記その他のＰＨＹの送信帯域幅の合計に等しい、ステップと、
前記バンドリンググループの前記現在の送信帯域幅、および前記複数のサービスフローのために必要とされる送信帯域幅に基づいて、前記複数のサービスフロー内のターゲットサービスフロー以外の残りのサービスフローのために必要とされる送信帯域幅が前記バンドリンググループの前記現在の送信帯域幅以下になるように前記複数のサービスフロー内の前記ターゲットサービスフローを破棄するステップとをさらに含む方法。
【請求項２】
前記Ｍ個のタイムスロット内のアイドルタイムスロットの量がターゲットタイムスロットの量以上である場合に、前記第１のタイムスロット構成テーブルを調整する前記ステップは、
前記Ｍ個のタイムスロット内のアイドルタイムスロットの前記量がターゲットタイムスロットの前記量以上である場合に、前記Ｍ個のタイムスロットからＫ個のアイドルタイムスロットを選択するステップであって、Ｋは、ターゲットタイムスロットの前記量に等しい、ステップと、
前記Ｋ個のアイドルタイムスロットと前記バンドリンググループ内のＰＨＹとの間におけるマッピング関係、および前記Ｋ個のターゲットタイムスロットと前記バンドリンググループ内のＰＨＹとの間におけるマッピング関係が交換可能であるように前記第１のタイムスロット構成テーブルを調整するステップとを含む請求項１に記載の方法。
【請求項３】
前記Ｍ個のタイムスロット内のアイドルタイムスロットの前記量がターゲットタイムスロットの前記量以上である場合に、前記Ｍ個のタイムスロットからＫ個のアイドルタイムスロットを選択する前記ステップは、
前記Ｍ個のタイムスロット内のアイドルタイムスロットの前記量がターゲットタイムスロットの前記量以上である場合に、前記その他のＰＨＹの負荷状況に基づいて前記Ｍ個のタイムスロットから前記Ｋ個のアイドルタイムスロットを選択するステップを含む請求項２に記載の方法。
【請求項４】
前記バンドリンググループの前記現在の送信帯域幅、および前記複数のサービスフローのために必要とされる送信帯域幅に基づいて、前記複数のサービスフロー内のターゲットサービスフローを破棄する前記ステップは、
前記フレキシブルイーサネットのサービス品質（ＱｏＳ）メカニズムを使用することによって、前記バンドリンググループの前記現在の送信帯域幅、および前記複数のサービスフローのために必要とされる前記送信帯域幅に基づいて、前記複数のサービスフロー内の前記ターゲットサービスフローを破棄するステップであって、前記ターゲットサービスフローの優先度は、前記複数のサービスフロー内の前記ターゲットサービスフロー以外の前記残りのサービスフローの優先度よりも低い、ステップを含む請求項１に記載の方法。
【請求項５】
フレキシブルイーサネットベースのサービスフロー送信装置であって、
バンドリンググループを使用することによって前記フレキシブルイーサネット内の少なくとも１つのサービスフローが送信され、前記バンドリンググループに対応する帯域幅リソースは、Ｍ個のタイムスロットへと分割され、前記少なくとも１つのサービスフローのサービスデータは、前記Ｍ個のタイムスロットのうちのＮ個のタイムスロット内にカプセル化され、前記Ｎ個のタイムスロット内のそれぞれのタイムスロットは、前記バンドリンググループ内の１つのＰＨＹにマップされ、それぞれのタイムスロット内にカプセル化されたサービスデータは、前記タイムスロットがマップされているＰＨＹを使用することによって送信され、ＭおよびＮの両方は、１以上の整数であり、Ｍ≧Ｎであり、
前記装置は、
前記バンドリンググループ内の第１のＰＨＹが障害をきたした場合に、事前に構成された第１のタイムスロット構成テーブルに基づいて、前記第１のＰＨＹにマップされている前記Ｎ個のタイムスロット内のターゲットタイムスロットを決定するように構成されている決定モジュールであって、前記第１のタイムスロット構成テーブルは、前記Ｍ個のタイムスロットと前記バンドリンググループ内のＰＨＹとの間におけるマッピング関係を示すために使用される、決定モジュールと、
前記第１のタイムスロット構成テーブルに基づいてアイドルタイムスロットを探して前記Ｍ個のタイムスロットを探索するように構成されている探索モジュールと、
前記Ｍ個のタイムスロット内のアイドルタイムスロットの量がターゲットタイムスロットの量以上である場合に、すべての前記Ｎ個のタイムスロットが前記バンドリンググループ内の前記第１のＰＨＹ以外のその他のＰＨＹにマップされるように前記第１のタイムスロット構成テーブルを調整して、第２のタイムスロット構成テーブルを入手するように構成されている調整モジュールと、
前記バンドリンググループを使用することによって前記第２のタイムスロット構成テーブルに基づいて前記少なくとも１つのサービスフローを送信するように構成されている送信モジュールとを含み、
前記少なくとも１つのサービスフローは、複数のサービスフローを含み、前記装置は、
前記Ｍ個のタイムスロット内のアイドルタイムスロットの前記量がターゲットタイムスロットの前記量未満である場合に、前記バンドリンググループの現在の送信帯域幅を計算するように構成されている計算モジュールであって、前記バンドリンググループの前記現在の送信帯域幅は、前記バンドリンググループ内の前記第１のＰＨＹ以外の前記その他のＰＨＹの送信帯域幅の合計に等しい、計算モジュールと、
前記バンドリンググループの前記現在の送信帯域幅、および前記複数のサービスフローのために必要とされる送信帯域幅に基づいて、前記複数のサービスフロー内のターゲットサービスフロー以外の残りのサービスフローのために必要とされる送信帯域幅が前記バンドリンググループの前記現在の送信帯域幅以下になるように前記複数のサービスフロー内の前記ターゲットサービスフローを破棄するように構成されているサービス処理モジュールとをさらに含む装置。
【請求項６】
前記調整モジュールは、前記Ｍ個のタイムスロット内のアイドルタイムスロットの前記量がターゲットタイムスロットの前記量以上である場合に、前記Ｍ個のタイムスロットからＫ個のアイドルタイムスロットを選択することであって、Ｋは、ターゲットタイムスロットの前記量に等しい、選択することと、前記Ｋ個のアイドルタイムスロットと前記バンドリンググループ内のＰＨＹとの間におけるマッピング関係、および前記Ｋ個のターゲットタイムスロットと前記バンドリンググループ内のＰＨＹとの間におけるマッピング関係が交換可能であるように前記第１のタイムスロット構成テーブルを調整することとを行うように特に構成されている請求項５に記載の装置。
【請求項７】
前記調整モジュールは、前記Ｍ個のタイムスロット内のアイドルタイムスロットの前記量がターゲットタイムスロットの前記量以上である場合に、前記その他のＰＨＹの負荷状況に基づいて前記Ｍ個のタイムスロットから前記Ｋ個のアイドルタイムスロットを選択するように特に構成されている請求項６に記載の装置。
【請求項８】
前記サービス処理モジュールは、前記フレキシブルイーサネットのサービス品質（ＱｏＳ）メカニズムを使用することによって、前記バンドリンググループの前記現在の送信帯域幅、および前記複数のサービスフローのために必要とされる前記送信帯域幅に基づいて、前記複数のサービスフロー内の前記ターゲットサービスフローを破棄するように特に構成されており、前記ターゲットサービスフローの優先度は、前記複数のサービスフロー内の前記ターゲットサービスフロー以外の前記残りのサービスフローの優先度よりも低い請求項５に記載の装置。
【請求項９】
フレキシブルイーサネットベースのネットワークデバイスを含む通信システムであって、
バンドリンググループを使用することによって前記フレキシブルイーサネット内の少なくとも１つのサービスフローが送信され、前記バンドリンググループに対応する帯域幅リソースは、Ｍ個のタイムスロットへと分割され、前記少なくとも１つのサービスフローのサービスデータは、前記Ｍ個のタイムスロットのうちのＮ個のタイムスロット内にカプセル化され、前記Ｎ個のタイムスロット内のそれぞれのタイムスロットは、前記バンドリンググループ内の１つのＰＨＹにマップされ、それぞれのタイムスロット内にカプセル化されたサービスデータは、前記タイムスロットがマップされているＰＨＹを使用することによって送信され、ＭおよびＮの両方は、１以上の整数であり、Ｍ≧Ｎであり、
前記ネットワークデバイスは、
前記バンドリンググループ内の第１のＰＨＹが障害をきたした場合に、事前に構成された第１のタイムスロット構成テーブルに基づいて、前記第１のＰＨＹにマップされている前記Ｎ個のタイムスロット内のターゲットタイムスロットを決定するように構成されており、前記第１のタイムスロット構成テーブルは、前記Ｍ個のタイムスロットと前記バンドリンググループ内のＰＨＹとの間におけるマッピング関係を示すために使用され、
前記第１のタイムスロット構成テーブルに基づいてアイドルタイムスロットを探して前記Ｍ個のタイムスロットを探索するように、および前記Ｍ個のタイムスロット内のアイドルタイムスロットの量がターゲットタイムスロットの量以上である場合に、すべての前記Ｎ個のタイムスロットが前記バンドリンググループ内の前記第１のＰＨＹ以外のその他のＰＨＹにマップされるように前記第１のタイムスロット構成テーブルを調整して、第２のタイムスロット構成テーブルを入手するように構成されており、
前記ネットワークデバイスは、前記バンドリンググループを使用することによって前記第２のタイムスロット構成テーブルに基づいて前記少なくとも１つのサービスフローを送信する
ように構成され、
前記少なくとも１つのサービスフローは、複数のサービスフローを含み、
前記ネットワークデバイスは、
前記Ｍ個のタイムスロット内のアイドルタイムスロットの前記量がターゲットタイムスロットの前記量未満である場合に、前記バンドリンググループの現在の送信帯域幅を計算し、前記バンドリンググループの前記現在の送信帯域幅は、前記バンドリンググループ内の前記第１のＰＨＹ以外の前記その他のＰＨＹの送信帯域幅の合計に等しく、
前記バンドリンググループの前記現在の送信帯域幅、および前記複数のサービスフローのために必要とされる送信帯域幅に基づいて、前記複数のサービスフロー内のターゲットサービスフロー以外の残りのサービスフローのために必要とされる送信帯域幅が前記バンドリンググループの前記現在の送信帯域幅以下になるように前記複数のサービスフロー内の前記ターゲットサービスフローを破棄する
ようにさらに構成されている通信システム。
【請求項１０】
前記Ｍ個のタイムスロット内のアイドルタイムスロットの量がターゲットタイムスロットの量以上である場合に、前記第１のタイムスロット構成テーブルを調整する前記構成は、
前記Ｍ個のタイムスロット内のアイドルタイムスロットの前記量がターゲットタイムスロットの前記量以上である場合に、前記Ｍ個のタイムスロットからＫ個のアイドルタイムスロットを選択する構成であって、Ｋは、ターゲットタイムスロットの前記量に等しい、構成と、
前記Ｋ個のアイドルタイムスロットと前記バンドリンググループ内のＰＨＹとの間におけるマッピング関係、および前記Ｋ個のターゲットタイムスロットと前記バンドリンググループ内のＰＨＹとの間におけるマッピング関係が交換可能であるように前記第１のタイムスロット構成テーブルを調整する構成と
を含む請求項９に記載の通信システム。
【請求項１１】
前記Ｍ個のタイムスロット内のアイドルタイムスロットの前記量がターゲットタイムスロットの前記量以上である場合に、前記Ｍ個のタイムスロットからＫ個のアイドルタイムスロットを選択する前記構成は、
前記Ｍ個のタイムスロット内のアイドルタイムスロットの前記量がターゲットタイムスロットの前記量以上である場合に、前記その他のＰＨＹの負荷状況に基づいて前記Ｍ個のタイムスロットから前記Ｋ個のアイドルタイムスロットを選択する構成
を含む請求項１０に記載の通信システム。
【請求項１２】
命令を含むコンピュータ可読媒体であって、前記命令はコンピュータによって実行されたときに請求項１乃至４のいずれか一項に記載の方法を前記コンピュータに実行させるコンピュータ可読媒体。
【発明の詳細な説明】
【技術分野】
【０００１】
本出願は、フレキシブルイーサネットテクノロジーの分野に関し、より具体的には、フレキシブルイーサネットに基づいてサービスフローを送信するための方法および装置、ならびに通信システムに関する。
【背景技術】
【０００２】
本出願は、２０１６年１２月２６日に中国特許庁に出願された「ＭＥＴＨＯＤ  ＡＮＤ  ＡＰＰＡＲＡＴＵＳ  ＦＯＲ  ＴＲＡＮＳＭＩＴＴＩＮＧ  ＳＥＲＶＩＣＥ  ＦＬＯＷ  ＢＡＳＥＤ  ＯＮ  ＦＬＥＸＩＢＬＥ  ＥＴＨＥＲＮＥＴ，  ＡＮＤ  ＣＯＭＭＵＮＩＣＡＴＩＯＮＳ  ＳＹＳＴＥＭ」と題されている中国特許出願第２０１６１１２１６５４４．７号明細書に対する優先権を主張するものであり、その中国特許出願明細書は、全体が参照によって本明細書に組み込まれている。
【０００３】
フレキシブルイーサネット（Ｆｌｅｘｉｂｌｅ  Ｅｔｈｅｒｎｅｔ、略してＦｌｅｘ  ＥｔｈまたはＦｌｅｘＥ）は、従来のイーサネットに基づいて開発されたさらに進んだイーサネットテクノロジーである。ＦｌｅｘＥは、ルータと光伝送ネットワーク（Ｏｐｔｉｃａｌ  Ｔｒａｎｓｐｏｒｔ  Ｎｅｔｗｏｒｋ、ＯＴＮ）との間における可変レートインターフェースを定義するために使用され得、主として、ＯＴＮにおけるイーサネットインターフェースのマッピングモードおよび送信モードをできるだけ簡略化するために使用される。ＦｌｅｘＥは、イーサネットインターフェースとＯＴＮとの間におけるレートバインディングテクノロジーおよびフレキシブルマッピング方式に基づいて、より大きな送信レートおよびより大きな送信帯域幅を実施し得る。
【０００４】
図１に示されているように、従来のイーサネットに基づくＦｌｅｘＥにフレキシブルイーサネットバンドリンググループ（ＦｌｅｘＥ  Ｇｒｏｕｐ、略してバンドリンググループ）のコンセプトが導入されている。バンドリンググループは、複数のＰＨＹをバンドルすることによって入手され得る。１つのバンドリンググループに対応する帯域幅リソースは、そのバンドリンググループ内のＰＨＹに対応する帯域幅リソースの合計である。したがってＦｌｅｘＥは、バンドリンググループに基づいて、より大きな送信レートおよびより大きな送信帯域幅に関する要件を満たすことが可能である。
【０００５】
ＦｌｅｘＥは、バンドリンググループを使用することによって、複数のサービスフローが同時に送信されることを可能にする。同じサービスフローのサービスデータが、バンドリンググループ内の１つのＰＨＹ上で搬送され得、またはバンドリンググループ内の別々のＰＨＹ上で搬送され得る。言い換えれば、同じサービスフローのサービスデータは、バンドリンググループ内の１つのＰＨＹを使用することによってピアエンドへ送信され得、またはバンドリンググループ内の複数のＰＨＹを使用することによってピアエンドへ送信され得る。バンドリンググループ内のＰＨＹが１つまたは複数のサービスフローのサービスデータを搬送すると想定すると、そのＰＨＹが障害をきたした場合には、それらの１つまたは複数のサービスフローの送信は中断される。
【発明の概要】
【０００６】
本出願は、バンドリンググループ内のＰＨＹが障害をきたしているためにサービスフローが中断される現象を緩和するために、フレキシブルイーサネットに基づいてサービスフローを送信するための方法および装置、ならびに通信システムを提供する。
【０００７】
第１の態様によれば、フレキシブルイーサネットに基づいてサービスフローを送信するための方法が提供され、フレキシブルイーサネットは、バンドリンググループを使用することによって少なくとも１つのサービスフローを送信し、バンドリンググループに対応する帯域幅リソースは、Ｍ個のタイムスロットへと分割され、少なくとも１つのサービスフローのサービスデータは、Ｍ個のタイムスロットのうちのＮ個のタイムスロット内にカプセル化され、Ｎ個のタイムスロット内のそれぞれのタイムスロットは、バンドリンググループ内の１つのＰＨＹにマップされ、それぞれのタイムスロット内にカプセル化されたサービスデータは、タイムスロットがマップされているＰＨＹを使用することによって送信され、ＭおよびＮの両方は、１以上の整数であり、Ｍ≧Ｎであり、この方法は、バンドリンググループ内の第１のＰＨＹが障害をきたした場合に、事前に構成された第１のタイムスロット構成テーブルに基づいて、第１のＰＨＹにマップされているＮ個のタイムスロット内のターゲットタイムスロットを決定するステップであって、第１のタイムスロット構成テーブルは、Ｍ個のタイムスロットとバンドリンググループ内のＰＨＹとの間におけるマッピング関係を示すために使用される、ステップと、第１のタイムスロット構成テーブルに基づいてアイドルタイムスロットを探してＭ個のタイムスロットを探索するステップと、Ｍ個のタイムスロット内のアイドルタイムスロットの量がターゲットタイムスロットの量以上である場合に、すべてのＮ個のタイムスロットがバンドリンググループ内の第１のＰＨＹ以外のその他のＰＨＹにマップされるように第１のタイムスロット構成テーブルを調整して、第２のタイムスロット構成テーブルを入手するステップと、バンドリンググループを使用することによって第２のタイムスロット構成テーブルに基づいて少なくとも１つのサービスフローを送信するステップとを含む。
【０００８】
第１の態様に関連して、第１の態様のいくつかの実装においては、Ｍ個のタイムスロット内のアイドルタイムスロットの量がターゲットタイムスロットの量以上である場合に、第１のタイムスロット構成テーブルを調整するステップは、Ｍ個のタイムスロット内のアイドルタイムスロットの量がターゲットタイムスロットの量以上である場合に、Ｍ個のタイムスロットからＫ個のアイドルタイムスロットを選択するステップであって、Ｋは、ターゲットタイムスロットの量に等しい、ステップと、Ｋ個のアイドルタイムスロットとバンドリンググループ内のＰＨＹとの間におけるマッピング関係、およびＫ個のターゲットタイムスロットとバンドリンググループ内のＰＨＹとの間におけるマッピング関係が交換可能であるように第１のタイムスロット構成テーブルを調整するステップとを含む。
【０００９】
第１の態様に関連して、第１の態様のいくつかの実装においては、Ｍ個のタイムスロット内のアイドルタイムスロットの量がターゲットタイムスロットの量以上である場合に、Ｍ個のタイムスロットからＫ個のアイドルタイムスロットを選択するステップは、Ｍ個のタイムスロット内のアイドルタイムスロットの量がターゲットタイムスロットの量以上である場合に、その他のＰＨＹの負荷状況に基づいてＭ個のタイムスロットからＫ個のアイドルタイムスロットを選択するステップを含む。
【００１０】
第１の態様に関連して、第１の態様のいくつかの実装においては、少なくとも１つのサービスフローは、複数のサービスフローを含み、この方法は、Ｍ個のタイムスロット内のアイドルタイムスロットの量がターゲットタイムスロットの量未満である場合に、バンドリンググループの現在の送信帯域幅を計算するステップであって、バンドリンググループの現在の送信帯域幅は、バンドリンググループ内の第１のＰＨＹ以外のその他のＰＨＹの送信帯域幅の合計に等しい、ステップと、バンドリンググループの現在の送信帯域幅、および複数のサービスフローのために必要とされる送信帯域幅に基づいて、複数のサービスフロー内のターゲットサービスフロー以外の残りのサービスフローのために必要とされる送信帯域幅がバンドリンググループの現在の送信帯域幅以下になるように複数のサービスフロー内のターゲットサービスフローを破棄するステップとをさらに含む。
【００１１】
第１の態様に関連して、第１の態様のいくつかの実装においては、バンドリンググループの現在の送信帯域幅、および複数のサービスフローのために必要とされる送信帯域幅に基づいて、複数のサービスフロー内のターゲットサービスフローを破棄するステップは、フレキシブルイーサネットのサービス品質ＱｏＳメカニズムを使用することによって、バンドリンググループの現在の送信帯域幅、および複数のサービスフローのために必要とされる送信帯域幅に基づいて、複数のサービスフロー内のターゲットサービスフローを破棄するステップであって、ターゲットサービスフローの優先度は、複数のサービスフロー内のターゲットサービスフロー以外の残りのサービスフローの優先度よりも低い、ステップを含む。
【００１２】
第２の態様によれば、第１の態様または第１の態様のさまざまな可能な実装における方法を実行するように構成されているモジュールを含むフレキシブルイーサネットベースのサービスフロー送信装置が提供される。
【００１３】
第３の態様によれば、メモリと、プロセッサと、通信インターフェースとを含むフレキシブルイーサネットベースのサービスフロー送信装置が提供され、メモリは、プログラムコードを格納するように構成されており、プロセッサは、メモリ内に格納されているプログラムコードを実行して、第１の態様または第１の態様のさまざまな可能な実装における方法に対応するオペレーションを実行するように構成されている。
【００１４】
第４の態様によれば、フレキシブルイーサネットベースのネットワークデバイスを含む通信システムが提供され、フレキシブルイーサネットは、バンドリンググループを使用することによって少なくとも１つのサービスフローを送信し、バンドリンググループに対応する帯域幅リソースは、Ｍ個のタイムスロットへと分割され、少なくとも１つのサービスフローのサービスデータは、Ｍ個のタイムスロットのうちのＮ個のタイムスロット内にカプセル化され、Ｎ個のタイムスロット内のそれぞれのタイムスロットは、バンドリンググループ内の１つのＰＨＹにマップされ、それぞれのタイムスロット内にカプセル化されたサービスデータは、タイムスロットがマップされているＰＨＹを使用することによって送信され、ＭおよびＮの両方は、１以上の整数であり、Ｍ≧Ｎである。ネットワークデバイスは、バンドリンググループ内の第１のＰＨＹが障害をきたした場合に、事前に構成された第１のタイムスロット構成テーブルに基づいて、第１のＰＨＹにマップされているＮ個のタイムスロット内のターゲットタイムスロットを決定するように構成されており、第１のタイムスロット構成テーブルは、Ｍ個のタイムスロットとバンドリンググループ内のＰＨＹとの間におけるマッピング関係を示すために使用される。ネットワークデバイスは、第１のタイムスロット構成テーブルに基づいてアイドルタイムスロットを探してＭ個のタイムスロットを探索するように、およびＭ個のタイムスロット内のアイドルタイムスロットの量がターゲットタイムスロットの量以上である場合に、すべてのＮ個のタイムスロットがバンドリンググループ内の第１のＰＨＹ以外のその他のＰＨＹにマップされるように第１のタイムスロット構成テーブルを調整して、第２のタイムスロット構成テーブルを入手するようにさらに構成されている。ネットワークデバイスは、バンドリンググループを使用することによって第２のタイムスロット構成テーブルに基づいて少なくとも１つのサービスフローを送信するようにさらに構成されている。
【００１５】
第４の態様に関連して、第４の態様のいくつかの実装においては、ネットワークデバイスは、Ｍ個のタイムスロット内のアイドルタイムスロットの量がターゲットタイムスロットの量以上である場合に、Ｍ個のタイムスロットからＫ個のアイドルタイムスロットを選択することであって、Ｋは、ターゲットタイムスロットの量に等しい、選択することと、Ｋ個のアイドルタイムスロットとバンドリンググループ内のＰＨＹとの間におけるマッピング関係、およびＫ個のターゲットタイムスロットとバンドリンググループ内のＰＨＹとの間におけるマッピング関係が交換可能であるように第１のタイムスロット構成テーブルを調整することとを行うように特に構成されている。
【００１６】
第４の態様に関連して、第４の態様のいくつかの実装においては、ネットワークデバイスは、Ｍ個のタイムスロット内のアイドルタイムスロットの量がターゲットタイムスロットの量以上である場合に、その他のＰＨＹの負荷状況に基づいてＭ個のタイムスロットからＫ個のアイドルタイムスロットを選択するように特に構成されている。
【００１７】
第４の態様に関連して、第４の態様のいくつかの実装においては、少なくとも１つのサービスフローは、複数のサービスフローを含み、ネットワークデバイスは、Ｍ個のタイムスロット内のアイドルタイムスロットの量がターゲットタイムスロットの量未満である場合に、バンドリンググループの現在の送信帯域幅を計算することであって、バンドリンググループの現在の送信帯域幅は、バンドリンググループ内の第１のＰＨＹ以外のその他のＰＨＹの送信帯域幅の合計に等しい、計算することと、バンドリンググループの現在の送信帯域幅、および複数のサービスフローのために必要とされる送信帯域幅に基づいて、複数のサービスフロー内のターゲットサービスフロー以外の残りのサービスフローのために必要とされる送信帯域幅がバンドリンググループの現在の送信帯域幅以下になるように複数のサービスフロー内のターゲットサービスフローを破棄することとを行うようにさらに構成されている。
【００１８】
第４の態様に関連して、第４の態様のいくつかの実装においては、ネットワークデバイスは、フレキシブルイーサネットのサービス品質ＱｏＳメカニズムを使用することによって、バンドリンググループの現在の送信帯域幅、および複数のサービスフローのために必要とされる送信帯域幅に基づいて、複数のサービスフロー内のターゲットサービスフローを破棄するように特に構成されており、ターゲットサービスフローの優先度は、複数のサービスフロー内のターゲットサービスフロー以外の残りのサービスフローの優先度よりも低い。
【００１９】
第５の態様によれば、コンピュータ可読媒体が提供され、このコンピュータ可読媒体は、プログラムコードを格納しており、このプログラムコードは、第１の態様または第１の態様のさまざまな可能な実装における方法を実行するために使用される命令を含む。
【００２０】
このソリューションにおいては、バンドリンググループ内の第１のＰＨＹが障害をきたした場合に、タイムスロットが、アイドルタイムスロットを探して最初に探索され、アイドルタイムスロットの量が十分である場合には、サービスデータを搬送するすべてのＮ個のタイムスロットがバンドリンググループ内のその他の有効なＰＨＹにマップされるように第１のタイムスロット構成テーブルが調整される。この方法においては、Ｎ個のタイムスロット内にカプセル化されているすべてのサービスデータが受信端へ円滑に送信されることが可能であり、サービスフローの中断が回避される。
【図面の簡単な説明】
【００２１】
【図１】既存のフレキシブルイーサネットのアーキテクチャー図である。
【図２】フレキシブルイーサネットにおける従来のサービスフロー処理手順の概略図である。
【図３】ＰＨＹ障害に起因してサービスフローが中断されるシナリオの概略図である。
【図４】本出願の実施形態による、フレキシブルイーサネットに基づいてサービスフローを送信するための方法の概略フローチャートである。
【図５】本出願の実施形態による、フレキシブルイーサネットに基づいてサービスフローを送信するための方法の概略フローチャートである。
【図６】本出願の別の実施形態による、フレキシブルイーサネットに基づいてサービスフローを送信するための方法の概略フローチャートである。
【図７】本出願の実施形態による、フレキシブルイーサネットに基づいてサービスフローを送信するための装置の概略構造図である。
【図８】本出願の別の実施形態による、フレキシブルイーサネットに基づいてサービスフローを送信するための装置の概略構造図である。
【図９】本出願の実施形態による通信システムの概略構造図である。
【発明を実施するための形態】
【００２２】
従来のイーサネットにおいては、サービスフローは、スイッチングボードを通過した後に、処理のためにトラフィック管理（Ｔｒａｆｆｉｃ  Ｍａｎａｇｅｍｅｎｔ、ＴＭ）モジュール、ネットワークプロセッサ（Ｎｅｔｗｏｒｋ  Ｐｒｏｃｅｓｓｏｒ、ＮＰ）、メディアアクセス制御（Ｍｅｄｉａ  Ａｃｃｅｓｓ  Ｃｏｎｔｒｏｌ、ＭＡＣ）レイヤモジュール、および物理レイヤモジュール（またはＰＨＹと呼ばれる）などのモジュールまたはコンポーネントを、通常は順次通過する。
【００２３】
ＴＭモジュールは、主として、ネットワーク送信帯域幅およびサービスフローの優先度に基づいてサービスフローのサービス品質（Ｑｕａｌｉｔｙ  ｏｆ  Ｓｅｒｖｉｃｅ、ＱｏＳ）を制御する。たとえば、すべてのサービスフローが前述のモジュールまたはコンポーネントを通過することを確実にする上で現在の送信帯域幅が不十分である場合には、ＴＭモジュールは、高い優先度を有するサービスフローが前述のモジュールまたはコンポーネントを通過することを優先的に確実にし、低い優先度を有するサービスフロー上でパケット破棄処理を実行し得る。
【００２４】
ＮＰは、イーサネットサービスを処理するためのコアチップであり、主として、さまざまなイーサネットサービスに関する転送タスクおよび処理タスクを実行し、たとえば、イーサネットサービスデータ上でのパケット処理、プロトコル分析、ルート探索などを実行する。
【００２５】
ＭＡＣレイヤモジュールは、主として、物理レイヤにおいて物理媒体を接続および制御することを担当する。イーサネットサービスパケットに関しては、物理レイヤ情報がレイヤにおいてカプセル化およびカプセル解除され得る。
【００２６】
ＰＨＹは、データ送信のために必要とされる物理リンクをセットアップ、保持、および解体するための機械的な、電子的な、機能的な、および規範的な特徴を提供することとして定義され得る。本明細書において言及されているＰＨＹは、送信端および受信端における物理レイヤワーキングコンポーネント、ならびに送信端と受信端との間における光ファイバを含み得る。物理レイヤワーキングコンポーネントは、たとえば、イーサネットにおける物理レイヤインターフェースデバイス（Ｐｈｙｓｉｃａｌ  Ｌａｙｅｒ  Ｉｎｔｅｒｆａｃｅ  Ｄｅｖｉｃｅｓ）を含み得る。
【００２７】
図１を参照すると、バンドリンググループ、フレキシブルイーサネットクライアント（ＦｌｅｘＥ  Ｃｌｉｅｎｔ、略してクライアント）、タイムスロット（Ｃａｌｅｎｄａｒ）、およびフレキシブルイーサネット時分割多重化レイヤ（ＦｌｅｘＥ  Ｓｈｉｍ、略して時分割多重化レイヤ）などの新たなコンセプトが、従来のイーサネットに基づくＦｌｅｘＥに導入されている。
【００２８】
バンドリンググループ：  バンドリンググループは、複数のＰＨＹを含み得、たとえば、１００ＧＥのレートをサポートする１から２５６個のＰＨＹを含み得る。
【００２９】
クライアント：  同じバンドリンググループを使用することによって送信を実行するクライアント同士は、同じクロックを共有することを必要とし、これらのクライアントは、割り当てられているタイムスロットレートに基づいて適合して動作することを必要とする。アイドル（ｉｄｌｅ）ブロックを挿入／削除することによって、それぞれのクライアントの帯域幅オーバーヘッドが適合され得る。
【００３０】
タイムスロット：  １つのＰＨＹの帯域幅リソースは、通常は複数のタイムスロット（たとえば、２０個のタイムスロット）へと分割される。実際の使用においては、サービスデータが、はじめにタイムスロット内にカプセル化され、次いでそのタイムスロットが、バンドリンググループ内のＰＨＹにマップされる。タイムスロットとＰＨＹとの間におけるマッピング関係が、ＦｌｅｘＥのタイムスロット構成テーブル内に記録される。ＦｌｅｘＥは、通常は２つのタイムスロット構成テーブルをサポートする。一方のタイムスロット構成テーブルは、現在使用中のタイムスロット構成テーブルであり、他方のタイムスロット構成テーブルは、代替として使用され得る。これらの２つのタイムスロット構成テーブルは、互いに切り替えられ得る。具体的な切り替え時間は、アップストリームクライアントおよびダウンストリームクライアントによって交渉され得、切り替えは、同期的に実行される。この方法においては、クライアントのサービス構成が変わった場合に、別のクライアントのサービスは影響されない。
【００３１】
時分割多重化レイヤ：  時分割多重化レイヤは、主として、同じクロックに基づいてサービスデータ上でスライシングを実行し、スライスされたサービスデータを、事前に実行された分割を通じて入手されているタイムスロット内にカプセル化し、次いで、分割を通じて入手されているタイムスロットを、送信のための（ユーザによって特別に構成され得る）事前に構成されたタイムスロット構成テーブルに基づいてバンドリンググループ内のＰＨＹにマップするために使用される。それぞれのタイムスロットは、バンドリンググループ内の１つのＰＨＹにマップされる。
【００３２】
図２および図３を参照して、以降では、例を使用することによって、フレキシブルイーサネットにおける従来のサービスフロー処理プロセス、およびＰＨＹが障害をきたした場合にサービスフローが中断される現象について個別に記述する。
【００３３】
図２は、従来のＦｌｅｘＥサービスフロー処理プロセスについて記述している。
【００３４】
図２に示されているように、バンドリンググループが、ＰＨＹ１から４を含み、このバンドリンググループは、サービスフロー１から３を送信するために使用され得る。サービスフロー１を送信するプロセスが、例として使用される。送信側では、従来のサービス処理が、はじめにクライアントのサービスフロー１上で実行され得る。たとえば、ＴＭモジュールを使用することによってＱｏＳ制御が実行され得、次いでＭＡＣレイヤモジュールを使用することによって物理レイヤ情報がカプセル化され得る。クライアントは、処理後に入手されるサービスデータを時分割多重化レイヤへ送信する。
【００３５】
次いで時分割多重化レイヤは、受信されたサービスデータ上でスライシングおよびタイムスロットのカプセル化を実行し得る（具体的には、サービスデータを、事前に実行された分割を通じて入手されているタイムスロット内にカプセル化し得る）。さらに時分割多重化レイヤは、サービスフロー１のサービスデータがカプセル化されているタイムスロットを、事前に構成されたタイムスロット構成テーブルに基づいてバンドリンググループ内のＰＨＹにマップし得る。図２に示されているように、サービスフロー１のサービスデータがカプセル化されているタイムスロットは、ＰＨＹ１およびＰＨＹ２にマップされる。次いで、バンドリンググループ内のＰＨＹは、光モジュールを使用することによってデータを受信端へ送信し得る。受信端は、バンドリンググループ内のＰＨＹによって送信されたデータを、送信端上での処理プロセスの逆のプロセスに従ってサービスフローへと再び組み立てる。
【００３６】
サービスフロー２および３の処理プロセスは、サービスフロー１の処理プロセスと同様である。ここでは詳細は記述されない。
【００３７】
図３を参照すると、バンドリンググループ内のＰＨＹ１が障害をきたしており、サービスフロー１に対応するサービスデータ、およびサービスフロー２に対応するサービスデータの両方が、ＰＨＹ１にマップされているタイムスロット内にカプセル化されている。したがって、ＰＨＹ１の障害に起因して、それらのタイムスロット内にカプセル化されているすべてのサービスデータが受信端へ送信されることが不可能である。サービスフロー１およびサービスフロー２が不連続である、または中断されている（この現象は、図３における黒色のブロックによって示されている）ということが、受信端において受信されるサービスフローから知られることも可能である。これは、サービスフロー全体の送信障害につながる。
【００３８】
ＰＨＹ障害に起因してサービスフロー全体が中断される現象を緩和するために、本出願の実施形態は、フレキシブルイーサネットに基づいてサービスフローを送信するための方法を提供する。以降では、図４を参照しながら本出願の方法実施形態について詳細に記述する。
【００３９】
図４は、本出願の実施形態による、フレキシブルイーサネットに基づいてサービスフローを送信するための方法の概略フローチャートである。フレキシブルイーサネットは、バンドリンググループを使用することによって少なくとも１つのサービスフローを送信し、バンドリンググループに対応する帯域幅リソースは、Ｍ個のタイムスロットへと分割され、少なくとも１つのサービスフローのサービスデータは、Ｍ個のタイムスロットのうちのＮ個のタイムスロット内にカプセル化され、Ｎ個のタイムスロット内のそれぞれのタイムスロットは、バンドリンググループ内の１つのＰＨＹにマップされ、それぞれのタイムスロット内にカプセル化されたサービスデータは、タイムスロットがマップされているＰＨＹを使用することによって送信される。ＭおよびＮの両方は、１以上の整数であり、Ｍ≧Ｎである。実際に、フレキシブルイーサネットは、それぞれのＰＨＹの帯域幅リソースを複数のタイムスロットへと分割する（たとえば、１つのＰＨＹの帯域幅リソースは、２０個のタイムスロットへと分割され得る）。前述のＭ個のタイムスロットは、バンドリンググループ内のすべてのＰＨＹを分割することによって入手されるタイムスロットの合計であり得る。
【００４０】
図４における方法は、下記のステップを含む。
【００４１】
４１０．  バンドリンググループ内の第１のＰＨＹが障害をきたした場合に、事前に構成された第１のタイムスロット構成テーブルに基づいて、第１のＰＨＹにマップされているＮ個のタイムスロット内のターゲットタイムスロットを決定し、第１のタイムスロット構成テーブルは、Ｍ個のタイムスロットとバンドリンググループ内のＰＨＹとの間におけるマッピング関係を示すために使用される。
【００４２】
第１のＰＨＹは、バンドリンググループ内の任意のＰＨＹであり得るということを理解されたい。
【００４３】
タイムスロット構成テーブルは、タイムスロットマッピング関係テーブルとも呼ばれ得るということを理解されたい。タイムスロット構成テーブルは、Ｍ個のタイムスロット内のそれぞれのタイムスロットがマップされている、バンドリンググループ内にある特定のＰＨＹを示すために特に使用され得る。
【００４４】
４２０．  第１のタイムスロット構成テーブルに基づいてアイドルタイムスロットを探してＭ個のタイムスロットを探索する。
【００４５】
４３０．  Ｍ個のタイムスロット内のアイドルタイムスロットの量がターゲットタイムスロットの量以上である場合に、すべてのＮ個のタイムスロットがバンドリンググループ内の第１のＰＨＹ以外のその他のＰＨＹにマップされるように第１のタイムスロット構成テーブルを調整して、第２のタイムスロット構成テーブルを入手する。
【００４６】
４４０．  バンドリンググループを使用することによって第２のタイムスロット構成テーブルに基づいて少なくとも１つのサービスフローを送信する。
【００４７】
バンドリンググループ内の第１のＰＨＹが障害をきたした場合には、第１のＰＨＹにマップされているタイムスロット内にカプセル化されているサービスデータは、受信端へ送信されることが不可能である。したがって、１つまたは複数のサービスフローが中断される。サービスフローの中断を回避するために、本出願の実施形態においては、事前に実行された分割を通じて入手されているＭ個のタイムスロットが、アイドルタイムスロットを探して最初に探索され、アイドルタイムスロットの量が十分である場合には、サービスデータを搬送するすべてのＮ個のタイムスロットがバンドリンググループ内のその他の有効なＰＨＹにマップされるように第１のタイムスロット構成テーブルが調整される。この方法においては、Ｎ個のタイムスロット内にカプセル化されているすべてのサービスデータが受信端へ円滑に送信されることが可能であり、サービスフローの中断が回避される。
【００４８】
タイムスロット構成テーブルの調整、および送信端と受信端との間におけるタイムスロット構成テーブルの切り替えが、ＦｌｅｘＥオーバーヘッドメカニズムに基づいて実施され得る。理解しやすくするために、ＦｌｅｘＥオーバーヘッドメカニズムが、はじめに簡単に記述される。
【００４９】
具体的には、バンドリンググループ内のＰＨＹが、情報コードブロックを送信するだけでなく、オーバーヘッド（ｏｖｅｒｈｅａｄ）コードブロックも送信する。いくつかのオーバーヘッドコードブロック（たとえば、１つの基本フレーム周期において送信されるオーバーヘッドコードブロック）内に含まれているビット情報が結合されて、オーバーヘッドエリアを形成する。オーバーヘッドエリアは、コード情報および制御情報など、サービスデータ以外の情報を送信するために使用され得る。タイムスロット構成テーブルと、要求／応答メカニズムを使用することによって送信端と受信端との間においてタイムスロット構成テーブルを切り替えるために使用される情報とが、送信のためにオーバーヘッドエリアにおけるいくつかのフィールド内に含めて搬送され得る。詳細に関しては、従来技術を参照されたい。ここでは詳細は記述されていない。
【００５０】
ステップ４３０の複数の実装があり得る。以降では、特定の実施形態を参照しながらステップ４３０の実装について詳細に記述する。
【００５１】
いくつかの実施形態においては、ステップ４３０は、Ｍ個のタイムスロット内のアイドルタイムスロットの量がターゲットタイムスロットの量以上である場合に、Ｍ個のタイムスロットからＫ個のアイドルタイムスロットを選択するステップであって、Ｋは、ターゲットタイムスロットの量に等しい、ステップと、Ｋ個のアイドルタイムスロットとバンドリンググループ内のＰＨＹとの間におけるマッピング関係、およびＫ個のターゲットタイムスロットとバンドリンググループ内のＰＨＹとの間におけるマッピング関係が交換可能であるように第１のタイムスロット構成テーブルを調整するステップとを含み得る。
【００５２】
Ｎ個のタイムスロット内のＫ個のターゲットタイムスロット以外のその他のタイムスロットは、第１のＰＨＹにマップされていないので、これらのタイムスロット内のサービスデータの送信は影響されない。これに基づいて、本出願の実施形態においては、これらのタイムスロットのマッピング関係は変更されないままであり、Ｋ個のアイドルタイムスロットのマッピング関係、およびＫ個のターゲットタイムスロットのマッピング関係のみが置換または交換される。この方法においては、タイムスロット構成テーブルがわずかに変更され得、送信端上でのオペレーションが簡略化される。
【００５３】
たとえば、バンドリンググループがＰＨＹ１から４を含み、ＰＨＹ１が障害をきたしている。Ｋ個のターゲットタイムスロットが、ターゲットタイムスロット１およびターゲットタイムスロット２を含み、Ｋ個のアイドルタイムスロットが、アイドルタイムスロット１およびアイドルタイムスロット２を含み、すべてのＫ個のターゲットタイムスロットが、ＰＨＹ１にマップされている。アイドルタイムスロット１がＰＨＹ２にマップされており、アイドルタイムスロット２がＰＨＹ３にマップされていると想定すると、Ｋ個のアイドルタイムスロットとバンドリンググループ内のＰＨＹとの間におけるマッピング関係、およびＫ個のターゲットタイムスロットとバンドリンググループ内のＰＨＹとの間におけるマッピング関係が交換可能であるということは、ターゲットタイムスロット１がＰＨＹ２にマップされ、ターゲットタイムスロット２がＰＨＹ３にマップされ、アイドルタイムスロット１およびアイドルタイムスロット２の両方がＰＨＹ１にマップされるということを示し得る。
【００５４】
以降では、図３および図５を参照しながらステップ４３０の前述の実装についてさらに詳細に記述する。
【００５５】
図３に示されているように、バンドリンググループが、ＰＨＹ１から４を含み、バンドリンググループに対応する帯域幅リソースが、３２個のタイムスロットへと分割され、それぞれのＰＨＹが、３２個のタイムスロットのうちの８個のタイムスロットに対応しており、サービスフロー１から３が、３２個のタイムスロットのうちの２４個のタイムスロット内にカプセル化されている（２４個のタイムスロットは、ＰＨＹ１から３に対応するタイムスロットであり、ＰＨＹ４上の８個のタイムスロットは、アイドルタイムスロットである）。
【００５６】
ＰＨＹ１が障害をきたした場合には、ＰＨＹ１にマップされている８個のタイムスロット内のすべてのサービスデータが影響される。図３を参照すると、ＰＨＹ１にマップされているサービスデータは、サービスフロー１内のサービスデータを含むだけでなく、サービスフロー２内のサービスデータも含む。したがって、サービスフロー１の送信、およびサービスフロー２の送信が中断される。
【００５７】
サービスフローの送信の中断を回避するために、ＰＨＹ１が障害をきたした場合に、送信端は、タイムスロット構成テーブルを探索することによって、事前に実行された分割を通じて入手されている３２個のタイムスロットが８個のアイドルタイムスロットを含み、それらの８個のアイドルタイムスロットはＰＨＹ４にマップされているということに気づく。したがって、図５を参照すると、送信端は、ＰＨＹ１にマップされている８個のタイムスロットをＰＨＹ４に再マップし、ＰＨＹ４にマップされているアイドルタイムスロットをＰＨＹ１に再マップし得る。これは、ＰＨＹ１にマップされている８個のタイムスロットのマッピング関係、およびＰＨＹ４にマップされている８個のタイムスロットのマッピング関係を置換または交換することに相当する。タイムスロットのマッピング関係が調整された後に、新たなタイムスロット構成テーブルが入手され得る。送信端は、新たなタイムスロット構成テーブルをＦｌｅｘＥのハードウェアに書き込み得る。ＦｌｅｘＥは、ＦｌｅｘＥのオーバーヘッドメカニズムに基づいて新たなタイムスロット構成テーブルを受信端へ転送し、ＦｌｅｘＥのオーバーヘッドメカニズムに基づいて送信端および受信端を制御して、新たなタイムスロット構成テーブルを有効にする。前述の調整の後に、サービスデータがカプセル化されている２４個のタイムスロットが受信端へ円滑に送信され得、サービスフローの中断が回避される。
【００５８】
ＰＨＹ１が障害をきたした場合に、影響されるタイムスロットが送信端によってタイムスロット構成テーブルに基づいて見つからないならば、それは、ＰＨＹ１がいかなるサービスも搬送していないということを示しているということに留意されたい。このケースにおいては、送信端は、その後のオペレーションを実行しなくてよい。
【００５９】
Ｍ個のタイムスロットからＫ個のアイドルタイムスロットを選択する複数の方式があり得るということを理解されたい。たとえば、Ｋ個のアイドルタイムスロットは、ランダムに選択され得、または特定のルールに従って選択され得る。本出願の実施形態は、それに対して特定の制限を課していない。
【００６０】
たとえば、いくつかの実施形態においては、Ｍ個のタイムスロット内のアイドルタイムスロットの量がターゲットタイムスロットの量以上である場合に、Ｍ個のタイムスロットからＫ個のアイドルタイムスロットを選択するステップは、Ｍ個のタイムスロット内のアイドルタイムスロットの量がターゲットタイムスロットの量以上である場合に、その他のＰＨＹの負荷状況に基づいてＭ個のタイムスロットからＫ個のアイドルタイムスロットを選択するステップを含み得る。
【００６１】
本出願の実施形態においては、その他のＰＨＹの負荷状況に基づいてアイドルタイムスロットを選択するステップは、その他のＰＨＹ上でのサービスデータの分配をより適切にし得る。たとえば、Ｋ個のアイドルタイムスロットは、負荷バランシングルールに従ってＭ個のタイムスロットから選択され得、それによって、Ｋ個のターゲットタイムスロット内のサービスデータは、Ｋ個のアイドルタイムスロットのマッピング関係、およびＫ個のターゲットタイムスロットのマッピング関係が交換された後に、できるだけ、軽い負荷を課されているＰＨＹ上で搬送される。
【００６２】
前述の実施形態においては、Ｎ個のタイムスロット内のＫ個のターゲットタイムスロット以外のその他のタイムスロットのマッピング関係は変更されないままであり、Ｋ個のターゲットタイムスロットのマッピング関係、およびＫ個のアイドルタイムスロットのマッピング関係のみが交換される。しかしながら、本出願の実施形態は、それに限定されない。Ｎ個のタイムスロット内のそれぞれのタイムスロットのマッピング関係はまた、特定のポリシーまたはルールに基づいて調整され得る。バンドリンググループがＰＨＹ１から４を含み、バンドリンググループを使用することによって送信されるサービスフローが８個のタイムスロット（タイムスロット１から８）内にカプセル化される例を使用することによって、説明が提供される。ＰＨＹ１が障害をきたしていると想定すると、タイムスロット１は、ＰＨＹ２にマップされ得、タイムスロット２は、ＰＨＹ３にマップされ得、タイムスロット３は、ＰＨＹ４にマップされ得、タイムスロット４は、ＰＨＹ２にマップされ得、タイムスロット５は、ＰＨＹ３にマップされ得、タイムスロット６は、ＰＨＹ４にマップされ得、マッピングは、タイムスロット８とバンドリンググループ内のＰＨＹとの間におけるマッピング関係が決定されるまで、循環して実行される。
【００６３】
前述の内容は、特定の実施形態を参照しながら、Ｍ個のタイムスロット内のアイドルタイムスロットの量がターゲットタイムスロットの量以上である場合にサービスフローをどのようにして送信するかについて詳細に記述している。以降では、特定の実施形態を参照しながら、Ｍ個のタイムスロット内のアイドルタイムスロットの量がターゲットタイムスロットの量未満である場合にサービスフローをどのようにして送信するかについて詳細に記述している。
【００６４】
任意選択で、いくつかの実施形態においては、バンドリンググループを使用することによって送信される少なくとも１つのサービスフローは、複数のサービスフローを含み得、図４における方法は、Ｍ個のタイムスロット内のアイドルタイムスロットの量がターゲットタイムスロットの量未満である場合に、バンドリンググループの現在の送信帯域幅を計算するステップであって、バンドリンググループの現在の送信帯域幅は、バンドリンググループ内の第１のＰＨＹ以外のその他のＰＨＹの送信帯域幅の合計に等しい、ステップと、バンドリンググループの現在の送信帯域幅、および複数のサービスフローのために必要とされる送信帯域幅に基づいて、複数のサービスフロー内のターゲットサービスフロー以外の残りのサービスフローのために必要とされる送信帯域幅がバンドリンググループの現在の送信帯域幅以下になるように複数のサービスフロー内のターゲットサービスフローを破棄するステップとをさらに含み得る。
【００６５】
バンドリンググループの送信帯域幅は、第１のＰＨＹの障害のインパクトに起因して減少するということを理解されたい。Ｍ個のタイムスロット内のアイドルタイムスロットの量がターゲットタイムスロットの量未満であるということは、バンドリンググループの現在の送信帯域幅が、第１のＰＨＹの障害のインパクトに起因して、複数の送信されることになるサービスフローのために必要とされる送信帯域幅未満であり、バンドリンググループの現在の送信帯域幅は、複数のサービスフローを同時に送信するには不十分であるということを示している。このケースにおいて、本出願の実施形態においては、複数のサービスフロー内のターゲットサービスフローが破棄されて、残りのサービスフローの正常な送信を確実にする。
【００６６】
破棄されることを必要とするサービスフローを選択する複数の方式があり得る。たとえば、破棄されることを必要とするサービスフローは、複数のサービスフローからランダムに選択され得、または破棄されることを必要とするサービスフローは、ＱｏＳメカニズムに基づいて選択され得る。
【００６７】
たとえば、いくつかの実施形態においては、バンドリンググループの現在の送信帯域幅、および複数のサービスフローのために必要とされる送信帯域幅に基づいて、複数のサービスフロー内のターゲットサービスフローを破棄するステップは、フレキシブルイーサネットのＱｏＳメカニズムを使用することによって、バンドリンググループの現在の送信帯域幅、および複数のサービスフローのために必要とされる送信帯域幅に基づいて、複数のサービスフロー内のターゲットサービスフローを破棄するステップであって、破棄されるターゲットサービスフローの優先度は、複数のサービスフロー内のターゲットサービスフロー以外の残りのサービスフローの優先度よりも低い、ステップを含み得る。
【００６８】
特に、送信端はＴＭモジュールを含み得る。バンドリンググループの現在の送信帯域幅が計算を通じて入手された場合には、バンドリンググループの現在の送信帯域幅は、ＴＭモジュールへフィードバックされ得る。ＴＭモジュールは、複数のサービスフロー上でＱｏＳ制御を実行して、破棄されることを必要とするサービスフローを選択する。
【００６９】
本出願の実施形態においては、ＱｏＳ制御が、複数のサービスフローの優先度に基づいて複数のサービスフロー上で実行されて、高い優先度を有するサービスフローの送信を優先的に確実にする。
【００７０】
図６を参照して、以降では、例を使用することによって前述の実施形態について記述する。図６は、実質的に図２と同様であり、存在する違いとしては、図２においては、アイドルタイムスロットがＰＨＹ４にマップされているが、図６においては、サービスデータ（サービスフロー１のサービスデータ、およびサービスフロー２のサービスデータ）がカプセル化されているタイムスロットがＰＨＹ４にマップされている。
【００７１】
ＰＨＹ１が障害をきたした場合に、事前に実行された分割を通じて入手されている３２個のタイムスロット内にはアイドルタイムスロットがないので、より低い優先度を有するサービスフロー３が破棄され得、それによって、ＰＨＹ３にマップされている８個のタイムスロットがアイドル状態になるということが図６から知られることが可能である。次いで、ＰＨＹ１にマップされている８個のタイムスロットのマッピング関係が調整され得、それによって、それらの８個のタイムスロットはＰＨＹ３にマップされる。これは、サービスフロー３を破棄して、より高い優先度を有するサービスフロー１および２の送信を確実にすることに相当する。
【００７２】
以降では、本出願の装置実施形態について記述する。装置は、前述の方法を実行することが可能であるので、詳細に記述されていない部分に関しては、前述の方法実施形態を参照されたい。
【００７３】
図７は、本出願の実施形態によるフレキシブルイーサネットベースのサービスフロー送信装置の概略構造図である。フレキシブルイーサネットは、バンドリンググループを使用することによって少なくとも１つのサービスフローを送信し、バンドリンググループに対応する帯域幅リソースは、Ｍ個のタイムスロットへと分割され、少なくとも１つのサービスフローのサービスデータは、Ｍ個のタイムスロットのうちのＮ個のタイムスロット内にカプセル化され、Ｎ個のタイムスロット内のそれぞれのタイムスロットは、バンドリンググループ内の１つのＰＨＹにマップされ、それぞれのタイムスロット内にカプセル化されたサービスデータは、タイムスロットがマップされているＰＨＹを使用することによって送信される。ＭおよびＮの両方は、１以上の整数であり、Ｍ≧Ｎである。図７における装置７００は、
バンドリンググループ内の第１のＰＨＹが障害をきたした場合に、事前に構成された第１のタイムスロット構成テーブルに基づいて、第１のＰＨＹにマップされているＮ個のタイムスロット内のターゲットタイムスロットを決定するように構成されている決定モジュール７１０であって、第１のタイムスロット構成テーブルは、Ｍ個のタイムスロットとバンドリンググループ内のＰＨＹとの間におけるマッピング関係を示すために使用される、決定モジュール７１０と、
第１のタイムスロット構成テーブルに基づいてアイドルタイムスロットを探してＭ個のタイムスロットを探索するように構成されている探索モジュール７２０と、
Ｍ個のタイムスロット内のアイドルタイムスロットの量がターゲットタイムスロットの量以上である場合に、すべてのＮ個のタイムスロットがバンドリンググループ内の第１のＰＨＹ以外のその他のＰＨＹにマップされるように第１のタイムスロット構成テーブルを調整して、第２のタイムスロット構成テーブルを入手するように構成されている調整モジュール７３０と、
バンドリンググループを使用することによって第２のタイムスロット構成テーブルに基づいて少なくとも１つのサービスフローを送信するように構成されている送信モジュール７４０とを含む。
【００７４】
本出願の実施形態においては、バンドリンググループ内の第１のＰＨＹが障害をきたした場合に、タイムスロットが、アイドルタイムスロットを探して最初に探索され、アイドルタイムスロットの量が十分である場合には、サービスデータを搬送するすべてのＮ個のタイムスロットがバンドリンググループ内のその他の有効なＰＨＹにマップされるように第１のタイムスロット構成テーブルが調整される。この方法においては、Ｎ個のタイムスロット内にカプセル化されているすべてのサービスデータが受信端へ円滑に送信されることが可能であり、サービスフローの中断が回避される。
【００７５】
任意選択で、いくつかの実施形態においては、調整モジュール７３０は、Ｍ個のタイムスロット内のアイドルタイムスロットの量がターゲットタイムスロットの量以上である場合に、Ｍ個のタイムスロットからＫ個のアイドルタイムスロットを選択することであって、Ｋは、ターゲットタイムスロットの量に等しい、選択することと、Ｋ個のアイドルタイムスロットとバンドリンググループ内のＰＨＹとの間におけるマッピング関係、およびＫ個のターゲットタイムスロットとバンドリンググループ内のＰＨＹとの間におけるマッピング関係が交換可能であるように第１のタイムスロット構成テーブルを調整することとを行うように特に構成されている。
【００７６】
任意選択で、いくつかの実施形態においては、調整モジュール７３０は、Ｍ個のタイムスロット内のアイドルタイムスロットの量がターゲットタイムスロットの量以上である場合に、その他のＰＨＹの負荷状況に基づいてＭ個のタイムスロットからＫ個のアイドルタイムスロットを選択するように特に構成されている。
【００７７】
任意選択で、いくつかの実施形態においては、少なくとも１つのサービスフローは、複数のサービスフローを含み、装置７００は、Ｍ個のタイムスロット内のアイドルタイムスロットの量がターゲットタイムスロットの量未満である場合に、バンドリンググループの現在の送信帯域幅を計算するように構成されている計算モジュールであって、バンドリンググループの現在の送信帯域幅は、バンドリンググループ内の第１のＰＨＹ以外のその他のＰＨＹの送信帯域幅の合計に等しい、計算モジュールと、バンドリンググループの現在の送信帯域幅、および複数のサービスフローのために必要とされる送信帯域幅に基づいて、複数のサービスフロー内のターゲットサービスフロー以外の残りのサービスフローのために必要とされる送信帯域幅がバンドリンググループの現在の送信帯域幅以下になるように複数のサービスフロー内のターゲットサービスフローを破棄するように構成されているサービス処理モジュールとをさらに含む。
【００７８】
任意選択で、いくつかの実施形態においては、サービス処理モジュールは、フレキシブルイーサネットのサービス品質ＱｏＳメカニズムを使用することによって、バンドリンググループの現在の送信帯域幅、および複数のサービスフローのために必要とされる送信帯域幅に基づいて、複数のサービスフロー内のターゲットサービスフローを破棄するように特に構成されており、ターゲットサービスフローの優先度は、複数のサービスフロー内のターゲットサービスフロー以外の残りのサービスフローの優先度よりも低い。
【００７９】
図８は、本出願の別の実施形態によるフレキシブルイーサネットベースのサービスフロー送信装置の概略構造図である。フレキシブルイーサネットは、バンドリンググループを使用することによって少なくとも１つのサービスフローを送信し、バンドリンググループに対応する帯域幅リソースは、Ｍ個のタイムスロットへと分割され、少なくとも１つのサービスフローのサービスデータは、Ｍ個のタイムスロットのうちのＮ個のタイムスロット内にカプセル化され、Ｎ個のタイムスロット内のそれぞれのタイムスロットは、バンドリンググループ内の１つのＰＨＹにマップされ、それぞれのタイムスロット内にカプセル化されたサービスデータは、タイムスロットがマップされているＰＨＹを使用することによって送信される。ＭおよびＮの両方は、１以上の整数であり、Ｍ≧Ｎである。図８におけるフレキシブルイーサネットベースのサービスフロー送信装置８００は、メモリ８１０、プロセッサ８２０、および通信インターフェース８３０を含む。メモリ８１０、プロセッサ８２０、および通信インターフェース８３０は、バス８４０を使用することによって接続されている。プロセッサ８２０は、図７における決定モジュール７１０、探索モジュール７２０、および調整モジュール７３０に対応している。言い換えれば、プロセッサ８２０は、図７における決定モジュール７１０、探索モジュール７２０、および調整モジュール７３０によって実行されるオペレーションを実行することが可能である。通信インターフェース８３０は、図７における送信モジュール７４０に対応している。言い換えれば、通信インターフェース８３０は、図７における送信モジュール７４０によって実行されるオペレーションを実行することが可能である。以降では、メモリ８１０、プロセッサ８２０、および通信インターフェース８３０について詳細に記述する。
【００８０】
メモリ８１０は、プログラムコードを格納するように構成されている。
【００８１】
プロセッサ８２０は、メモリ８１０内に格納されているプログラムコードを実行するように構成されている。プログラムコードが実行されたときに、プロセッサ８２０は、バンドリンググループ内の第１のＰＨＹが障害をきたした場合に、事前に構成された第１のタイムスロット構成テーブルに基づいて、第１のＰＨＹにマップされているＮ個のタイムスロット内のターゲットタイムスロットを決定することであって、第１のタイムスロット構成テーブルは、Ｍ個のタイムスロットとバンドリンググループ内のＰＨＹとの間におけるマッピング関係を示すために使用される、決定することと、第１のタイムスロット構成テーブルに基づいてアイドルタイムスロットを探してＭ個のタイムスロットを探索することと、Ｍ個のタイムスロット内のアイドルタイムスロットの量がターゲットタイムスロットの量以上である場合に、すべてのＮ個のタイムスロットがバンドリンググループ内の第１のＰＨＹ以外のその他のＰＨＹにマップされるように第１のタイムスロット構成テーブルを調整して、第２のタイムスロット構成テーブルを入手することとを行うように構成されている。
【００８２】
送信インターフェース８３０は、バンドリンググループを使用することによって第２のタイムスロット構成テーブルに基づいて少なくとも１つのサービスフローを送信するように構成されている。
【００８３】
本出願の実施形態においては、バンドリンググループ内の第１のＰＨＹが障害をきたした場合に、タイムスロットが、アイドルタイムスロットを探して最初に探索され、アイドルタイムスロットの量が十分である場合には、サービスデータを搬送するすべてのＮ個のタイムスロットがバンドリンググループ内のその他の有効なＰＨＹにマップされるように第１のタイムスロット構成テーブルが調整される。この方法においては、Ｎ個のタイムスロット内にカプセル化されているすべてのサービスデータが受信端へ円滑に送信されることが可能であり、サービスフローの中断が回避される。
【００８４】
任意選択で、いくつかの実施形態においては、プロセッサ８２０は、Ｍ個のタイムスロット内のアイドルタイムスロットの量がターゲットタイムスロットの量以上である場合に、Ｍ個のタイムスロットからＫ個のアイドルタイムスロットを選択することであって、Ｋは、ターゲットタイムスロットの量に等しい、選択することと、Ｋ個のアイドルタイムスロットとバンドリンググループ内のＰＨＹとの間におけるマッピング関係、およびＫ個のターゲットタイムスロットとバンドリンググループ内のＰＨＹとの間におけるマッピング関係が交換可能であるように第１のタイムスロット構成テーブルを調整することとを行うように特に構成されている。
【００８５】
任意選択で、いくつかの実施形態においては、プロセッサ８２０は、Ｍ個のタイムスロット内のアイドルタイムスロットの量がターゲットタイムスロットの量以上である場合に、その他のＰＨＹの負荷状況に基づいてＭ個のタイムスロットからＫ個のアイドルタイムスロットを選択するように特に構成されている。
【００８６】
任意選択で、いくつかの実施形態においては、プロセッサ８２０は、Ｍ個のタイムスロット内のアイドルタイムスロットの量がターゲットタイムスロットの量未満である場合に、バンドリンググループの現在の送信帯域幅を計算することであって、バンドリンググループの現在の送信帯域幅は、バンドリンググループ内の第１のＰＨＹ以外のその他のＰＨＹの送信帯域幅の合計に等しい、計算することと、バンドリンググループの現在の送信帯域幅、および複数のサービスフローのために必要とされる送信帯域幅に基づいて、複数のサービスフロー内のターゲットサービスフロー以外の残りのサービスフローのために必要とされる送信帯域幅がバンドリンググループの現在の送信帯域幅以下になるように複数のサービスフロー内のターゲットサービスフローを破棄することとを行うようにさらに構成されている。
【００８７】
任意選択で、いくつかの実施形態においては、プロセッサ８２０は、フレキシブルイーサネットのサービス品質ＱｏＳメカニズムを使用することによって、バンドリンググループの現在の送信帯域幅、および複数のサービスフローのために必要とされる送信帯域幅に基づいて、複数のサービスフロー内のターゲットサービスフローを破棄するように特に構成されており、ターゲットサービスフローの優先度は、複数のサービスフロー内のターゲットサービスフロー以外の残りのサービスフローの優先度よりも低い。
【００８８】
前述のサービスフロー送信装置８００は、フレキシブルイーサネット内のネットワークデバイスであり得、たとえば、フレキシブルイーサネット内のルーティングデバイスであり得、またはルーティングデバイス内のボードであり得るということを理解されたい。
【００８９】
図９は、本出願の実施形態による通信システムの概略構造図である。図９における通信システム９００は、フレキシブルイーサネットベースのネットワークデバイス９１０を含み得る。フレキシブルイーサネットは、バンドリンググループを使用することによって少なくとも１つのサービスフローを送信し、バンドリンググループに対応する帯域幅リソースは、Ｍ個のタイムスロットへと分割され、少なくとも１つのサービスフローのサービスデータは、Ｍ個のタイムスロットのうちのＮ個のタイムスロット内にカプセル化され、Ｎ個のタイムスロット内のそれぞれのタイムスロットは、バンドリンググループ内の１つのＰＨＹにマップされ、それぞれのタイムスロット内にカプセル化されたサービスデータは、タイムスロットがマップされているＰＨＹを使用することによって送信される。ＭおよびＮの両方は、１以上の整数であり、Ｍ≧Ｎである。ネットワークデバイス９１０は、図８において記述されているサービスフロー送信装置８００に対応していてよい。言い換えれば、ネットワークデバイス９１０は、サービスフロー送信装置８００によって実行されるオペレーションを実行し得る。具体的な説明は、下記のとおりである。
【００９０】
ネットワークデバイス９１０は、バンドリンググループ内の第１のＰＨＹが障害をきたした場合に、事前に構成された第１のタイムスロット構成テーブルに基づいて、第１のＰＨＹにマップされているＮ個のタイムスロット内のターゲットタイムスロットを決定するように構成されており、第１のタイムスロット構成テーブルは、Ｍ個のタイムスロットとバンドリンググループ内のＰＨＹとの間におけるマッピング関係を示すために使用される。
【００９１】
ネットワークデバイス９１０は、第１のタイムスロット構成テーブルに基づいてアイドルタイムスロットを探してＭ個のタイムスロットを探索することと、Ｍ個のタイムスロット内のアイドルタイムスロットの量がターゲットタイムスロットの量以上である場合に、すべてのＮ個のタイムスロットがバンドリンググループ内の第１のＰＨＹ以外のその他のＰＨＹにマップされるように第１のタイムスロット構成テーブルを調整して、第２のタイムスロット構成テーブルを入手することとを行うようにさらに構成されている。
【００９２】
ネットワークデバイス９１０は、バンドリンググループを使用することによって第２のタイムスロット構成テーブルに基づいて少なくとも１つのサービスフローを送信するようにさらに構成されている。
【００９３】
本出願の実施形態においては、バンドリンググループ内の第１のＰＨＹが障害をきたした場合に、タイムスロットが、アイドルタイムスロットを探して最初に探索され、アイドルタイムスロットの量が十分である場合には、サービスデータを搬送するすべてのＮ個のタイムスロットがバンドリンググループ内のその他の有効なＰＨＹにマップされるように第１のタイムスロット構成テーブルが調整される。この方法においては、Ｎ個のタイムスロット内にカプセル化されているすべてのサービスデータが受信端へ円滑に送信されることが可能であり、サービスフローの中断が回避される。
【００９４】
任意選択で、いくつかの実施形態においては、ネットワークデバイス９１０は、Ｍ個のタイムスロット内のアイドルタイムスロットの量がターゲットタイムスロットの量以上である場合に、Ｍ個のタイムスロットからＫ個のアイドルタイムスロットを選択することであって、Ｋは、ターゲットタイムスロットの量に等しい、選択することと、Ｋ個のアイドルタイムスロットとバンドリンググループ内のＰＨＹとの間におけるマッピング関係、およびＫ個のターゲットタイムスロットとバンドリンググループ内のＰＨＹとの間におけるマッピング関係が交換可能であるように第１のタイムスロット構成テーブルを調整することとを行うように特に構成され得る。
【００９５】
任意選択で、いくつかの実施形態においては、ネットワークデバイス９１０は、Ｍ個のタイムスロット内のアイドルタイムスロットの量がターゲットタイムスロットの量以上である場合に、その他のＰＨＹの負荷状況に基づいてＭ個のタイムスロットからＫ個のアイドルタイムスロットを選択するように特に構成され得る。
【００９６】
任意選択で、いくつかの実施形態においては、少なくとも１つのサービスフローは、複数のサービスフローを含み、ネットワークデバイス９１０は、Ｍ個のタイムスロット内のアイドルタイムスロットの量がターゲットタイムスロットの量未満である場合に、バンドリンググループの現在の送信帯域幅を計算することであって、バンドリンググループの現在の送信帯域幅は、バンドリンググループ内の第１のＰＨＹ以外のその他のＰＨＹの送信帯域幅の合計に等しい、計算することと、バンドリンググループの現在の送信帯域幅、および複数のサービスフローのために必要とされる送信帯域幅に基づいて、複数のサービスフロー内のターゲットサービスフロー以外の残りのサービスフローのために必要とされる送信帯域幅がバンドリンググループの現在の送信帯域幅以下になるように複数のサービスフロー内のターゲットサービスフローを破棄することとを行うようにさらに構成され得る。
【００９７】
任意選択で、いくつかの実施形態においては、ネットワークデバイス９１０は、フレキシブルイーサネットのサービス品質ＱｏＳメカニズムを使用することによって、バンドリンググループの現在の送信帯域幅、および複数のサービスフローのために必要とされる送信帯域幅に基づいて、複数のサービスフロー内のターゲットサービスフローを破棄するように特に構成され得、ターゲットサービスフローの優先度は、複数のサービスフロー内のターゲットサービスフロー以外の残りのサービスフローの優先度よりも低い。
【００９８】
本明細書において開示されている実施形態において記述されている例と組み合わせて、電子ハードウェア、またはコンピュータソフトウェアと電子ハードウェアとの組合せによって、ユニットおよびアルゴリズムステップが実施され得るということを当技術分野における標準的な技術者なら認識し得る。機能がハードウェアによって実行されるか、またはソフトウェアによって実行されるかは、技術的なソリューションの個別の用途および設計制約条件に依存する。当業者なら、記述されている機能をそれぞれの個別の用途のために実施する目的でさまざまな方法を使用し得るが、その実装は本出願の範囲を超えるものとみなされるべきではない。
【００９９】
便利で簡単な説明の目的のために、前述のシステム、装置、およびユニットの詳細な機能プロセスに関しては、前述の方法実施形態における対応するプロセスを参照されたいということが当業者によって明らかに理解され得、詳細がここで再び記述されることはない。
【０１００】
本出願において提供されているいくつかの実施形態においては、開示されているシステム、装置、および方法がその他の方式で実施され得るということを理解されたい。たとえば、記述されている装置実施形態は、例にすぎない。たとえば、ユニットの区分は、論理的な機能区分にすぎず、実際の実装においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを使用することによって実施され得る。装置間またはユニット間における間接的な結合または通信接続は、電子的な形態、機械的な形態、またはその他の形態で実施され得る。
【０１０１】
別々の部分として記述されているユニット同士は、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の要件に基づいて選択され得る。
【０１０２】
加えて、本出願の実施形態における機能ユニット同士が統合されて１つの処理ユニットになってもよく、またはそれらのユニットのそれぞれが物理的に単独で存在してもよく、または２つ以上のユニットが統合されて１つのユニットになる。
【０１０３】
機能がソフトウェア機能ユニットの形態で実装されて、独立した製品として販売または使用される場合には、それらの機能は、コンピュータ可読記憶媒体内に格納され得る。そのような理解に基づいて、本質的に本出願の技術的なソリューション、または従来技術に貢献する部分、またはそれらの技術的なソリューションのいくつかが、ソフトウェア製品の形態で実装され得る。そのソフトウェア製品は、記憶媒体内に格納され、本出願の実施形態において記述されている方法のステップのうちのすべてまたはいくつかを実行するようコンピュータデバイス（パーソナルコンピュータ、サーバ、ネットワークデバイスなどであり得る）に指示するためのいくつかの命令を含む。前述の記憶媒体は、ＵＳＢフラッシュドライブ、取り外し可能なハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなど、プログラムコードを格納することが可能である任意の媒体を含む。
【０１０４】
前述の説明は、本発明の特定の実装にすぎず、本発明の保護範囲を限定することを意図されているものではない。本発明において開示されている技術的な範囲内で当業者によって容易に考え出されるいかなる変形形態または代替形態も、本発明の保護範囲内に収まるものとする。したがって、本発明の保護範囲は、特許請求の範囲の保護範囲に従うものとする。
【図１】
0006841918.tif 000002
【図２】
0006841918.tif 000003
【図３】
0006841918.tif 000004
【図４】
0006841918.tif 000005
【図５】
0006841918.tif 000006
【図６】
0006841918.tif 000007
【図７】
0006841918.tif 000008
【図８】
0006841918.tif 000009
【図９】
0006841918.tif 000010